(57)【特許請求の範囲】
【請求項１】
大引き支持部と、該大引き支持部を支持する支柱部と、該支柱部の下端に設けられたベース部と、を備えた床束具において、
前記ベース部は、
土間又は土間上の束石に固定される底部と、
該底部と一体的に設けられ、基礎側面に固定される基礎固定部と、を備え、
前記底部と前記基礎固定部との交わり部に、土間と基礎側面の取り合い部に形成される盛り上がりとの干渉を回避する盛り上がり回避部が形成されたことを特徴とする床束具。
【請求項２】
前記基礎固定部が前記基礎側面に固定されるとき、前記大引き支持部が所定の設計位置に設置されるように、前記基礎固定部に対して前記大引き支持部が設けられたことを特徴とする請求項１記載の床束具。
【発明の詳細な説明】
【０００１】
【発明の属する技術分野】
本発明は、住宅等の大引きを支持するために、土間や束石の上に立てて使用する床束具に関し、特に基礎際に配置される大引きを支持する床束具に関する。
【０００２】
【従来の技術】
従来、基礎際に配置される大引きを支持する場合、主に２つの仕様により行われていた。１つは、図５に示すように、基礎側面６にあらかじめ埋め込みボルト１２を埋設し、この埋め込みボルト１２に、前記基礎側面６への取付部１３ａと前記大引き７を支持する支持部１３ｂとからなる大引き受け金具１３をナット１３ｃにて固定し、該大引き受け金具１３に基礎際の大引き７を支持させる場合である。
【０００３】
しかし、上記大引き受け金具１３を用いて基礎際の大引き７を支持する仕様の場合には、年月の経過に伴って、図７に示すように、基礎側面６に埋設した前記埋め込みボルト１２の周辺部からクラックＣが発生することがあった。
【０００４】
また、基礎側面６の仕上り寸法には、通常、ばらつきがあり、例えば基礎側面６が鉛直方向に対して傾いている場合は、当然に、この基礎側面６に取付けられた前記大引き受け金具１３も傾斜して取付けられ、この結果、前記大引き７を適切に支持することができないこともあった。
【０００５】
さらに、このような大引き受け金具１３の設置高さは、前記埋め込みボルト１２に挿入される前記取付部１３ａの長穴（図示せず）の調整代によって調整されるが、前記大引き７を施工した後は、設置高さ調整は困難であり、従って、床鳴り補修など、アフターメンテナンスの対応も困難であった。
【０００６】
もう一つの仕様は、図６に示す床束金具１４を用いて基礎際の大引き７を支持する場合である。前記床束金具１４は、断面略コの字形状の大引き支持部１５と、該大引き支持部１５を支持する支柱部１６と該支柱部１６の下端に設けられたベース部１７とからなるものであって、前記支柱部１６は、前記大引き支持部１５の下部に固定された右ねじ１６ｂ、前記ベース部１７の上部に固定された左ねじ１６ｃに、夫々ナット１６ｄとばね座金１６ｅ、及びターンバックル１６ａが装着されたものである。したがって、前記ターンバックル１６ａを廻すことで前記大引き支持部１５の高さを調整することができる。
【０００７】
前記床束金具１４で基礎際の大引き７を支持する仕様を適用すれば、仕様の構成が全く相違することから、上記した大引き受け金具１３を用いて前記大引き７を支持する仕様において生じる問題、すなわち、クラックＣが発生する問題、基礎側面６の仕上がり寸法のばらつきにより大引き受け金具１３が傾斜して取付けられる問題及びアフターメンテナンスの対応が困難である問題が解消される。しかし、前記床束金具１４を用いて基礎際の大引き７を支持する仕様は、後述する他の問題を有するため、あまり用いられることがなかった。
【０００８】
【発明が解決しようとする課題】
以下、前記床束金具１４を用いて基礎際の大引き７を支持する仕様の問題点について説明する。図６に示すように、前記大引き７は所定の設計位置、例えば基礎側面６から距離Ｓの位置に設置させなければならない。ところが、この距離Ｓは、設計上狭く設定されることが多く、実際上は１０ミリメートル前後と狭く設定されるため、この設計位置に従って、前記床束金具１４を基礎側面６の際に寄せると、前記ベース部１７の端部が前記基礎側面６に干渉することが多かった。また、前記ベース部１７は、安定性を確保するために前記大引き支持部１５より幅広に形成される必要があることから、前記基礎側面６に干渉しないように、前記ベース部１７を幅狭く形成することはできなかった。
【０００９】
また、図８に示すように、基礎側面６と土間５との取り合い部は互いに設計上は直角であるが、コンクリート施工上の都合により、盛り上がり１０が形成されがちである。このため、前記床束金具１４を基礎際に設置すると、この盛り上がり１０に前記ベース部１７の端部が持ち上げられ、前記床束金具１４全体が傾き、真っ直ぐに大引きを支持させることができないこともあった。
【００１０】
本発明は、上記の課題に鑑みてなされたものであり、本発明の目的は、基礎際に設置しても大引きを安定的に支持することができ、基礎側面と土間の取り合い部に盛り上がりが形成されていても真っ直ぐに大引きを支持することができ、かつ、大引きのたおれを防止する床束具を提供することである。
【００１１】
【課題を解決するための手段】
上記目的を達成するために、請求項１記載の床束具は、大引き支持部と、該大引き支持部を支持する支柱部と、該支柱部の下端に設けられたベース部と、を備えた床束具において、前記ベース部は、土間又は土間上の束石に固定される底部と、該底部と一体的に設けられ、基礎側面に固定される基礎固定部と、を備え、前記底部と前記基礎固定部との交わり部に、土間と基礎側面の取り合い部に形成される盛り上がりとの干渉を回避する盛り上がり回避部が形成されたことを特徴としている。
【００１２】
請求項２記載の床束具は、請求項１記載の床束具において、前記基礎固定部が前記基礎側面に固定されるとき、前記大引き支持部が所定の設計位置に設置されるように、前記基礎固定部に対して前記大引き支持部が設けられたことを特徴としている。
【００１４】
【発明の実施の形態】
以下、本発明の実施の形態に係る床束金具（床束具）について、図面に基づいて説明する。図１に示すように、前記床束金具１は、大引き支持部２と、該大引き支持部２を支持する支柱部３と、該支柱部３の下端に設けられたベース部４と、を備えた床束金具において、前記ベース部４は、土間又は土間上の束石に固定される底部４ａと、該底部４ａと一体的に設けられ、基礎側面に固定される基礎固定部４ｂとを備えたものである。また、前記底部４ａと前記基礎固定部４ｂとの交わり部には、この床束金具１が設置される土間と基礎側面の取り合い部に形成される盛り上がりとの干渉を回避する盛り上がり回避部として斜面４ｃが形成されている。以下、詳細に説明する。
【００１５】
前記大引き支持部２は、図外の大引きを直接支持する部分である。前記大引き支持部２としては、例えば、図１に示すように、金属板が断面コの字形に折り曲げられて形成された大引き支持部２が使用される。該大引き支持部２の両側部には、前記大引きの側部へ付勢する板ばね２ａが形成されており、大引きを取付けたときに、前記大引きの側面に前記板ばね２ａが付勢して、該大引き支持部２に前記大引きを仮止めする役割を果たす。さらに、該大引き支持部２の両側部には、ビス用穴２ｂが穿設されており、ここにビスを取付けて、前記大引きとこの大引き支持部２とを固定する。なお、前記した板ばね２ａを形成するには、前記大引き支持部２の側面をコの字形状に切欠き、切欠の内部が大引き側に凸を形成するように折り曲げることで設けることができる。
【００１６】
前記支柱部３は、前記ベース部４の上に設けられ、前記大引き支持部２を下から支持するものである。例えば、前記大引き支持部２の下部に固定された右ねじ３ｂと、前記ベース部４の上に固定された左ねじ３ｃと、ナット３ｄ、ばね座金３ｅと共に前記ねじ３ｂ、３ｃに螺着されたターンバックル３ａを具備したものが使用される。したがって、前記ターンバックル３ａを廻すことで、前記大引き支持部２の高さを調整することができる。なお、前記ナット３ｄ及び前記ばね座金３ｅは、前記大引き支持部２の高さが調整された後に、前記ターンバックル３ａが廻らないように締め付けて固定するために設けられている。
【００１７】
前記ベース部４は、土間に固定される底部４ａと、該底部４ａと一体的に設けられ、基礎側面６に固定される基礎固定部４ｂと、前記底部４ａと前記基礎固定部４ｂとの交わり部に形成された斜面４ｃとを備えたものである。例えば、図１に示したように板材の中間が２箇所において折り曲げられ、前記底部４ａ、前記基礎固定部４ｂ及び前記斜面４ｃが形成され、前記底部４ａ及び前記基礎固定部４ｂには、釘穴４ｄと接着剤を排出するための接着剤抜き穴４ｅとが穿設され、さらに、前記斜面４ｃと前記底部４ａ、及び前記基礎固定部４ｂとの境界に補強リブ４ｆが設けられたものである。
【００１８】
ただし、前記基礎固定部４ｂは、前記した大引き支持部２と所定の位置関係にある。すなわち、図２に示すように、前記基礎固定部４ｂが前記基礎側面６に固定されるとき、前記大引き支持部２が所定の設計位置、例えば前記基礎側面６から前記大引き支持部２の端部までの距離をＳとする設計位置に設置されるように、前記基礎固定部４ｂに対して前記大引き支持部２が設けられている。このことによって、従来、前記距離Ｓを確認しながら行っていた前記基礎側面６に対する大引き７及び床束金具等の位置決め作業が不要となり施工能率の向上を図ることができる。
【００１９】
前記斜面４ｃは、前記土間５と前記基礎側面６との取り合い部に形成される前記盛り上がり１０を回避することを目的とするものである。したがって、前記斜面４ｃの大きさは、前記盛り上がり１０の大きさを考慮して決定される。なお、上記したように、前記斜面４ｃは前記盛り上がり１０との干渉を回避することを目的として形成されたものであるから、形状はこれに限定されず、例えば、前記斜面４ｃの代わりに前記底部４ａと前記基礎固定部４ｂとの交わり部に丸味を形成させることにより、前記盛り上がり１０との干渉を回避させてもよい。
【００２０】
前記補強リブ４ｆは、前記床束金具１に溶融めっきが施されるときに生じる、前記斜面４ｃと前記底部４ａ又は前記基礎固定部４ｂとの間における熱歪みを防止し、設計上の角度を維持するため設けられたものである。
【００２１】
上記した構成からなる前記床束金具１を使用して、基礎際の大引き７を設置する場合について以下に説明する。
【００２２】
まず、図３に示すように前記床束金具１の前記大引き支持部２にゴム状のシート１１を敷設して前記大引き７を載置し、前記大引き支持部２のビス用穴２ｂからビス２ｃを打込み、前記大引き支持部２と前記大引き７を固定する。
【００２３】
つぎに、前記ベース部４を前記土間５及び前記基礎側面６に固定する。固定に際しては、前記底部４ａ及び前記基礎固定部４ｂの裏面に接着剤８を塗布し、前記底部４ａを前記土間５に、前記基礎固定部４ｂを前記基礎側面６に押圧し、さらに、コンクリート釘９を前記底部４ａの釘穴４ｄに打込んで固定する。前記底部４ａ及び前記基礎固定部４ｂが上記したように押圧されることで、塗布された前記接着剤８のうち余分な量が、前記接着剤抜き穴４ｅ及び前記ベース部４の縁から排出されるので、適切な接着剤の膜厚を確保することができる。
【００２４】
つぎに、図４に示すように、上記と同様にしてさらに別の前記床束金具１を同じ基礎側面６の際に設ける。
【００２５】
最後に、前記ターンバックル３ａを廻して前記大引き受け部２を昇降させ、前記大引き７の設置高さを各床束金具１において調節する。大引きを適切な高さに設置した後は、前記ターンバックル３ａが弛まないように、前記ナット３ｄをスパナ等で締め付ける。
【００２６】
なお、以上説明したように、基礎際の大引き７が設置される作業と平行して、図４に示すように、一般部の大引き７も従来例で示した床束金具１４等によって設置する作業が行われ、この後、これらの大引き７の上に床パネル等を敷き詰める施工が行われる。
【００２７】
【発明の効果】
請求項１記載の床束具は、大引き支持部と、該大引き支持部を支持する支柱部と、該支柱部の下端に設けられたベース部と、を備えた床束具において、前記ベース部は、土間又は土間上の束石に固定される底部と、該底部と一体的に設けられ、基礎側面に固定される基礎固定部とを備え、前記底部と前記基礎固定部との交わり部に、土間と基礎側面の取り合い部に形成される盛り上がりとの干渉を回避する盛り上がり回避部が形成されたものであるので、そのベース部が土間又は土間上の束石だけでなく、基礎側面にも固定されることで、本床束具及び大引きの倒れを防止し、より安定的に設置することが可能となる。また、前記盛り上がりに影響されることなく真っ直ぐに大引きを支持することができる。
【００２８】
請求項２記載の床束具は、請求項１記載の床束具において、前記基礎固定部が前記基礎側面に固定されるとき、前記大引き支持部が所定の設計位置に設置されるように、前記基礎固定部に対して前記大引き支持部が設けられたものであるので、従来行っていた基礎側面に対する大引きの位置決め作業が不要となり、施工能率の向上を図ることができる。
【図面の簡単な説明】
【図１】本発明の実施の形態に係る床束金具（床束具）の斜視図である。
【図２】本発明の実施の形態に係る床束金具の使用状態を示す図である。
【図３】本発明の実施の形態に係る床束金具の使用状態を示す図である。
【図４】基礎際の大引きと一般部の大引きを設置した状態を示す説明図である。
【図５】大引き受け金具の使用状態を示す斜視図である。
【図６】従来例に係る床束金具の使用状態を示す説明図である。
【図７】大引き受け金具を使用した場合に発生するクラックの説明図である。
【図８】従来例に係る床束金具が有する問題点を示す説明図である。
【符号の説明】
１  床束金具（床束具）
２  大引き支持部
３  支柱部
４  ベース部
４ａ  底部
４ｂ  基礎固定部
４ｃ  盛り上がり回避部
【図１】
0003815662.tif 000002
【図２】
0003815662.tif 000003
【図３】
0003815662.tif 000004
【図４】
0003815662.tif 000005
【図５】
0003815662.tif 000006
【図６】
0003815662.tif 000007
【図７】
0003815662.tif 000008
【図８】
0003815662.tif 000009